(57)【要約】【課題】棒状導光部材から所定時間に出てくる光の量を軸方向の全体に亘って略均一にすることが出来る、新規な構造の遊技機用発光装置を提供することを、目的とする。【解決手段】軸直角方向の断面が台形状とされており、かかる台形状断面において平行な一組の対辺を構成する一対の対辺構成面４６，４８の何れか一方４８が軸方向の一端側から他端側へと行くに従って次第に一対の対辺構成面４６，４８の他方４６へ接近する方向に傾斜していると共に、遊技機１０への取付状態で一対の対辺構成面４６，４８のうち遊技者側の表側対辺構成面４８よりも遊技者側とは反対側の裏側対辺構成面４６が幅狭とされている棒状導光部材４２の裏側対辺構成面４６に反射層５６を設けた。また、棒状導光部材４２の軸方向一端側に発光源８４を配置すると共に、かかる発光源８４と棒状導光部材４２の軸方向一端側をハウジング５８で覆い隠した。【選択図】図４
2007319204.tif 000002
【特許請求の範囲】
【請求項１】
軸直角方向での断面が台形状とされており、かかる台形状断面において平行な一組の対辺を構成する一対の対辺構成面の何れか一方が軸方向の一端側から他端側へ行くに従って次第に該一対の対辺構成面の他方へと接近する方向に傾斜していると共に、遊技機への取付状態で該一対の対辺構成面のうち遊技者側に位置する表側対辺構成面よりも遊技者側とは反対側に位置する裏側対辺構成面のほうが幅狭とされている棒状導光部材と、
該棒状導光部材における軸方向一端側に配置された発光源と、
前記棒状導光部材における前記裏側対辺構成面に設けられた反射層と、
前記棒状導光部材の軸方向一端側と前記発光源とを覆い隠すハウジングと
を、備えていることを特徴とする遊技機用発光装置。
【請求項２】
前記ハウジングの内面が鏡面とされている請求項１に記載の遊技機用発光装置。
【請求項３】
前記棒状導光部材の軸方向他端側を覆い隠すカバー部材が設けられており、該カバー部材の内面が鏡面とされている請求項１又は２に記載の遊技機用発光装置。
【発明の詳細な説明】
【技術分野】
【０００１】
本発明は、棒状の導光部材の軸方向一端側にＬＥＤ等の発光源が配された遊技機用発光装置に関するものである。
【背景技術】
【０００２】
従来から、パチンコ機やスロットマシン等の遊技機においては、遊技を盛り上げること等を目的として、様々な発光装置が設けられている。その一種として、例えば、特許文献１に記載されているように、透明な柱状導光体の長手方向一端側に配置された光源が発する光を柱状導光体に入射させて、柱状導光体内を進むようにし、かかる柱状導光体内を進む光を柱状導光体の周面に形成された反射層で反射させる発光装置が知られている。
【０００３】
しかしながら、上述の如き構造の発光装置においては、光源が柱状導光体の長手方向一端側に配置されていることから、反射層で反射される等して柱状導光体の周面を通過する光の量を柱状導光体の長手方向の全体に亘って略均一にすることが難しいという問題がある。
【０００４】
なお、特許文献１にも記載されているように、柱状導光体の長手方向両端に光源を配置することも考えられるが、必要な部品点数が多くなってしまう等の問題がある。
【０００５】
【特許文献１】特開２００３−３０８７０５号公報
【発明の開示】
【発明が解決しようとする課題】
【０００６】
ここにおいて、本発明は、上述の如き事情を背景として為されたものであって、その解決課題とするところは、棒状導光部材から所定時間に出てくる光の量（光束）を棒状導光部材の軸方向の全体に亘って略均一にすることが出来る、新規な構造の遊技機用発光装置を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
本発明の遊技機用発光装置は、軸直角方向での断面が台形状とされており、かかる台形状断面において平行な一組の対辺を構成する一対の対辺構成面の何れか一方が軸方向の一端側から他端側へ行くに従って次第に該一対の対辺構成面の他方へと接近する方向に傾斜していると共に、遊技機への取付状態で一対の対辺構成面のうち遊技者側に位置する表側対辺構成面よりも遊技者側とは反対側に位置する裏側対辺構成面のほうが幅狭とされている棒状導光部材を備えていると共に、かかる棒状導光部材における軸方向一端側に発光源が配置されていることを、特徴とする。また、本発明の遊技機用発光装置は、棒状導光部材における裏側対辺構成面に対して反射層が設けられていることも、特徴とする。更にまた、本発明の遊技機用発光装置は、棒状導光部材の軸方向一端側と発光源とを覆い隠すハウジングを備えていることも、特徴とする。
【０００９】
このような本発明に従う構造とされた遊技機用発光装置においては、棒状導光部材の軸方向一端側に配置された発光源から発せられた光が棒状導光部材に入射した後、棒状導光部材内を進むようになっている。このようにして棒状導光部材内を進む光の一部が、棒状導光部材の裏側対辺構成面に設けられた反射層に対して、直接到達したり、或いは、棒状導光部材の表側対辺構成面において全反射した後で到達することにより、かかる反射層で反射するようになっている。また、このようにして反射層で反射せしめられた光は、表側対辺構成面を通過したり、或いは、表側対辺構成面で全反射した後、再び反射層で反射するようになっている。そして、このような反射層と表側対辺構成面との間での光の反射が繰り返される等して、棒状導光部材内を進む光が棒状導光部材の軸方向の一端側から他端側へと導かれるようになっている。
【００１０】
そこにおいて、本発明では、一対の対辺構成面の何れか一方が軸方向の一端側から他端側へ行くに従って次第に一対の対辺構成面の他方へと接近する方向に傾斜していることから、上述の如き光の反射が繰り返されることにより、表側対辺構成面への光の入射角や反射角、更には、反射層への光の入射角や反射角を変化させることが可能となる。また、棒状導光部材内を一対の対辺構成面の何れか一方に対して略平行に進む光を棒状導光部材の軸方向の他端側に近い位置において反射層で反射させることも可能となる。その結果、棒状導光部材内を進む際に反射層で反射される等して表側対辺構成面を所定時間に通過する光の量（光束）を棒状導光部材の軸方向の全体で略均一にすることが可能となる。
【００１１】
また、本発明では、棒状導光部材における軸直角方向での断面が台形状とされていることから、発光源から発せられる光のうち発光源の中心から遠くにある光、即ち、発光源から発せられる光において光度の弱い光が棒状導光部材へ入射する量よりも、発光源から発せられる光のうち発光源の中心及びその付近の光、即ち、発光源から発せられる光において光度の強い光が棒状導光部材へ入射する量のほうを多くすることが可能となる。即ち、棒状導光部材に入射する全ての光に対して光度の強い光が占める割合を、棒状導光部材に入射する全ての光に対して光度の弱い光が占める割合よりも大きくすることが可能となるのである。これにより、棒状導光部材内を進む際に反射層で反射される等して表側対辺構成面を通過する光の殆どを光度の強い光とすることが可能となる。その結果、棒状導光部材を通じて遊技者に視認される光を鮮明なものにすることが可能となる。
【００１２】
特に、本発明では、裏側対辺構成面よりも表側対辺構成面のほうが幅寸法が大きくされていることから、棒状導光部材内を進む際に反射層で反射される等して表側対辺構成面を通過することにより遊技者に視認される光の幅寸法を有利に確保することが可能となる。
【００１３】
また、棒状導光部材における軸直角方向での断面が台形状とされていることから、棒状導光部材の遊技機への取付状態で遊技者側とは反対側に反射層を設けることを有利に実現することが可能となる。
【００１４】
加えて、本発明では、棒状導光部材の軸方向一端と発光源とがハウジングによって覆い隠されるようになっていることから、発光源が発する光の棒状導光部材への入射効率を高めることが可能となる。これにより、棒状導光部材内を進む際に反射層で反射される等して表側対辺構成面を通過する光の量を有利に確保することが可能となる。
【００１５】
そこにおいて、本発明では、ハウジングの内面が鏡面とされていることが望ましい。これにより、発光源が発する光の棒状導光部材への入射効率を一層高めることが可能となる。その結果、棒状導光部材内を進む際に反射層で反射される等して表側対辺構成面を通過する光の量を一層有利に確保することが可能となる。
【００１６】
なお、ハウジングの内面を鏡面にする方法としては、例えば、反射材を含む塗料のスプレー等による塗布やアルミニウム等の金属の蒸着，更には、ハウジングそのものをアルミニウム合金等の金属材料で形成すること等が考えられる。また、本発明では、ハウジングの内面全体が鏡面とされている必要はなく、発光源が発する光の棒状導光部材への入射効率を高めるために必要な部分だけ鏡面であれば良い。更にまた、本発明において、ハウジングの形成材料としては、発光源等を収容するための一定の形状を維持することが出来るのであれば、特に限定されることはないが、（１）軽量である点と、（２）製造が容易である点からＡＢＳ等の硬質の合成樹脂材料が好適に採用される。
【００１７】
また、本発明では、内面が鏡面とされているカバー部材が、棒状導光部材の軸方向他端側を覆い隠すように設けられていることが望ましい。これにより、棒状導光部材内を進む光のうち表側対辺構成面を通過せずに棒状導光部材の軸方向他端側に到達してしまった光を、カバー部材の内面で反射させることにより、これまでとは逆の方向、即ち、棒状導光部材の軸方向の他端側から一端側へと進ませることが可能となり、その間に表側対辺構成面を通過させることが可能となる。その結果、棒状導光部材における表側対辺構成面を通過する光の量を棒状導光部材の軸方向の全体で略均一にすることを一層有利に実現することが可能となる。なお、カバー部材の内面を鏡面にする方法としては、ハウジングの内面を鏡面にする方法と同様な方法を採用することが出来る。また、カバー部材の形成材料としても、ハウジングの形成材料と同様な形成材料を採用することが出来る。更にまた、本発明では、カバー部材の内面全体が鏡面とされている必要はなく、棒状導光部材内を軸方向の一端側から他端側へ進むまでの間に表側対辺構成面を通過することなく軸方向の他端側まで到達してきた光の反射を有利に実現するために必要な部分だけ鏡面であれば良い。
【００１８】
また、本発明において、棒状導光部材における軸直角方向の断面形状である「台形状」とは、一組の平行な対辺のそれぞれの中点がこれら両方の対辺に対して直交する直線上に位置する形状は勿論のこと、このような条件を満たさない台形状も含むものとする。更に、本発明の棒状導光部材において、断面が台形状とされている部分は、軸方向の全体に亘って形成されている必要はなく、例えば、ハウジングに収容される軸方向一端部の軸直角方向での断面を台形状とは異なるようにしても良い。
【００１９】
また、本発明において、遊技機とは、パチンコ機やスロットマシン等のように、遊技者が遊技をすることによって賞媒体を得ることが出来るものは勿論のこと、そうでないもの、例えば、遊技者が遊技をすることによって得た点数で優劣や順位を決定するゲーム機（具体的には、ピンボール等）も含むものとする。そこにおいて、本発明における「遊技機への取付状態」とは、例えば、パチンコ機において遊技球が流下する遊技領域に設けられた役物や装飾物等に取り付けられること等によって有利に実現される。その際、棒状導光部材は、変位可能な状態で取り付けられても良い。
【００２０】
更にまた、本発明において、裏側対辺構成面における幅寸法の表側対辺構成面における幅寸法に対する割合は、特に限定されるものではないが、１／４〜３／４であることが望ましい。蓋し、裏側対辺構成面における幅寸法の表側対辺構成面における幅寸法に対する割合が１／４よりも小さい場合には、裏側対辺構成面に設けられる反射層の幅寸法を確保して反射層で反射される光の量を確保することが難しくなる一方、裏側対辺構成面における幅寸法の表側対辺構成面における幅寸法に対する割合が３／４よりも大きい場合には、発光源が発する光のうち光度の弱い光が棒状導光部材へ入射する量が多くなってしまい、その結果、棒状導光部材内を進む際に反射層で反射される等して表側対辺構成面を通過することにより遊技者に視認される光を鮮明にすることが難しくなるからである。
【００２１】
また、本発明において、一対の対辺構成面の何れか一方に対する他方の傾斜角度は、棒状導光部材内を進む光を棒状導光部材の軸方向の一端側から他端側へと有利に導くことが出来る傾斜角度であれば、特に限定されることはない。
【００２２】
更にまた、本発明において、裏側対辺構成面の幅寸法と表側対辺構成面の幅寸法は、棒状導光部材の軸方向の全体に亘って略一定である必要はなく、例えば、表側対辺構成面と裏側対辺構成面の少なくとも一方の幅寸法が、軸方向の一端側から他端側へと行くに従って次第に短くなったり、長くなったりしても良い。
【００２３】
また、本発明において、棒状導光部材は中実であっても良いし、中空であっても良い。更に、本発明において、棒状導光部材の形成材料としては、屈折率が高い透明材料であれば、特に限定されることはなく、例えば、ガラスやアクリル樹脂，ポリスチレン，ポリカーボネート等が採用される。更にまた、本発明における棒状導光部材の成形方法としては、射出成形や押し出し成形等が考えられる。
【００２４】
また、本発明の棒状導光部材において発光源が配置される軸方向一端側には、発光源が収容される凹部が形成されていることが望ましい。これにより、発光源が発する光を集光させて棒状導光部材へと入射させることが可能となる。その結果、棒状導光部材内を進む際に反射層で反射される等して表側対辺構成面を通過する光の量を有利に確保することが可能となる。
【００２５】
更にまた、本発明において、反射層の幅寸法は、棒状導光部材の軸方向の全体に亘って略一定であっても良いし、例えば、反射層が設けられた裏側対辺構成面の幅寸法が軸方向で変化する場合には、かかる裏側対辺構成面の幅寸法に対応するように変化するものであって良い。また、本発明において、反射層は、例えば、反射材料が含まれた塗料をスプレー等によって塗布することで形成された塗膜や、反射材を備えたテープ等で有利に構成される。そこにおいて、棒状導光部材における裏側対辺構成面に反射層を設ける方法としては、例えば、白色顔料や反射材等の反射材料を混入させた塗料を用いて、印刷等により塗布する方法等が採用される。その際、塗料としては、熱硬化性樹脂や粘着材をバインダーとするものが用いられる。また、反射層の印刷方法としては、例えば、従来から公知のホットスタンプによる印刷方法等が採用される。なお、印刷方法以外にも、例えば、スプレーによる液状反射材の塗布や反射層を備えたテープを貼付する方法等も勿論採用することが出来る。また、反射層の形成材料としては、例えば、白色顔料や散乱材を含むアクリル系ポリマーやメタクリル系ポリマー等が採用される。そこにおいて、白色顔料や散乱材としては、シリコーン樹脂粒子やポリスチレン樹脂粒子等の有機ポリマー樹脂，Ａｌ2 Ｏ3 ，ＴｉＯ3 ，ＳｉＯ2 等の金属酸化物粒子，ＢａＳＯ4 等の硫酸塩粒子，ＣａＣＯ3 等の炭酸塩粒子等を挙げることが出来、これらのうちの１種類を単独で、或いは、これらのうちの２種類以上を併用して使用することが出来る。また、反射効率等を考慮した場合、これら白色顔料や散乱材の粒子の平均粒径は０．１〜２００μｍ程度が好ましく、より好ましくは０．５〜５０μｍ程度とされる。更に、反射層の形成材料中における白色顔料や散乱材の含有量は、反射効率等を考慮した場合、０．５〜２０重量％程度であることが好ましく、より好ましくは１〜１０重量％程度とされる。更にまた、反射層の厚さ寸法は１０〜２００μｍが好ましく、より好ましくは５０〜１００μｍとされる。蓋し、反射層の厚さ寸法が１０μｍよりも薄いと反射される光が少なくなって光度が弱くなってしまう一方、反射層の厚さ寸法が２００μｍよりも大きいと反射される光が多くなって光度は強くなるが、このように光度が強くなるのは発光源からの距離が近い場合であって、発光源からの距離が遠くなると逆に光度が弱くなってしまうという不具合を伴う場合があるからである。
【００２６】
また、本発明において、発光源とは、発光ダイオード（ＬＥＤ）や有機ＥＬ等の従来から公知のものが何れも採用可能である。そこにおいて、本発明では、発光源が発する光の色は一色に限定されることはなく、例えば、発光源としてフルカラーＬＥＤを採用することにより、多数の色の光を発することが出来るようにしても良い。また、発光源の数は一つに限定されず、二つ以上の発光源を採用することも可能である。そこにおいて、複数の発光源を採用する場合、これら複数の発光源のそれぞれが発する光の色は互いに異なっていることが望ましく、それによって、各発光源が発する光の色を組み合わせることにより、様々な色の光を発することが可能となる。
【発明を実施するための最良の形態】
【００２７】
以下、本発明を更に具体的に明らかにするために、本発明の実施形態について、図面を参照しつつ、詳細に説明する。
【００２８】
先ず、図１には、遊技機としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、後述する遊技領域３０が形成された遊技盤１６（図２参照）が着脱自在に組み付けられており、かかる遊技領域３０が、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２が遊技者に回動操作されることにより、中枠１４に設けられた上皿２４に貯留されている遊技球が、図示しない球送り機構を介して発射装置（図示せず）に送られた後、遊技領域３０に向けて発射されるようになっている。
【００２９】
続いて、中枠１４に組み付けられている遊技盤１６について説明する。この遊技盤１６は、図２に示されているように、遊技板２６の表面側にレールセット２８が設けられた構造とされており、それによって、遊技板２６の表面側に略円形の遊技領域３０が区画形成されている。
【００３０】
このようにして形成された遊技領域３０の中央には、装飾物としてのセンター飾り３２が設けられている。このセンター飾り３２は、全体として額縁形状を呈しており、その開口部分を通じて、遊技板２６に取り付けられた液晶表示器３４の表示画面が遊技者に視認されるようになっている。
【００３１】
また、遊技領域３０においてセンター飾り３２の下方には、始動入賞装置３６と特別可動入賞装置３８がこの順番で設けられている。そして、遊技者が発射した遊技球が始動入賞装置３６に入賞すると、液晶表示器３４の表示画面において複数の特別図柄（図示せず）の変動表示が開始されるようになっており、かかる複数の特別図柄が所定の図柄組み合わせで停止表示された場合に、特別可動入賞装置３８の開口部を覆蓋する扉が開かれて、特別可動入賞装置３８への遊技球の入賞が可能となる特別遊技状態が発生するようになっている。
【００３２】
そこにおいて、本実施形態のセンター飾り３２には、本発明の一実施形態の遊技機用発光装置としての棒状発光装置４０が取り付けられている。即ち、本実施形態では、パチンコ機１０を構成する遊技盤１６の遊技板２６（遊技領域３０）に設けられたセンター飾り３２に対して棒状発光装置４０が取り付けられた状態が、遊技機用発光装置（棒状発光装置４０）が遊技機（パチンコ機１０）に取り付けられた取付状態とされているのである。
【００３３】
かかる棒状発光装置４０は、図３乃至図５に示されているように、棒状導光部材としての導光ロッド４２を備えている。導光ロッド４２は、アクリル樹脂等の透明な硬質材料によって形成されており、図６乃至図８に示されているように、全体として中心軸線が真っ直ぐに延びるストレートな棒状部材とされている。特に、本実施形態の導光ロッド４２は、その軸方向中間部分において、一組の対辺が平行とされた台形断面で軸方向の一端側（図６における右端側）から他端側（図６における左端側）へ延びると共に、かかる台形断面の高さ寸法（図８における上下方向の寸法）が軸方向の一端側から他端側へと行くに従って次第に小さくなるように設定された露出部４４を備えている。なお、本実施形態では、露出部４４の台形断面において第二の対辺構成面４８（後述する）の側の二つの角には、角取りが施されている。
【００３４】
そこにおいて、本実施形態では、軸方向の一端側から他端側へ行くに従って、露出部４４の軸直角方向での断面形状である台形における一組の平行な対辺の離隔距離、即ち、台形の高さ寸法は次第に短くなるようにされているが、台形における一組の平行な対辺のそれぞれの長さ寸法は略一定となるようにされている。また、本実施形態では、露出部４４の軸直角方向での断面形状である台形における一組の平行な対辺のそれぞれの中点が、一組の平行な対辺の両方に対して垂直に交わる一本の直線上に位置せしめられている。そして、本実施形態では、このような条件を満たす台形断面で露出部４４が軸方向の一端側から他端側へと延びるように形成されている。
【００３５】
すなわち、本実施形態では、露出部４４の軸直角方向での断面形状である台形において一組の平行な対辺のうち長さが短いほうを構成する面４６（以下、第一の対辺構成面４６と称する）と、一組の平行な対辺のうち長さが長いほうを構成する面４８（以下、第二の対辺構成面４８と称する）との両方が、略一定の幅寸法で軸方向の一端側から他端側へと延びる平面とされているのであり、また、露出部４４の軸直角方向での断面形状である台形における二つの斜辺を構成する面のそれぞれが、軸方向の一端側から他端側へと行くに従って幅狭となるように延びる平面とされているのである。
【００３６】
そして、上述の如く、台形断面の高さ寸法が露出部４４の軸方向の一端側から他端側へと行くに従って次第に小さくなるように、本実施形態では、第二の対辺構成面４８が軸方向の一端側から他端側へと行くに従って次第に第一の対辺構成面４６に接近する方向へ傾斜しているのである。その結果、本実施形態では、第一の対辺構成面４６が後述する駆動軸６６の中心軸線に対して略直交する平面とされている。
【００３７】
更にまた、第一の対辺構成面４６は第二の対辺構成面４８よりも幅狭とされており、特に本実施形態では、第一の対辺構成面４６の幅寸法は第二の対辺構成面４８の幅寸法の略半分とされている。
【００３８】
また、このような露出部４４の軸方向一端側には、露出部４４の軸直角方向での断面（台形断面）よりも大きな断面を有する一端側取付部５０が一体形成されている一方、露出部４４の軸方向他端側にも、露出部４４の軸直角方向での断面（台形断面）よりも大きな断面を有する他端側取付部５２が一体形成されている。
【００３９】
そこにおいて、本実施形態では、一端側取付部５０と他端側取付部５２のそれぞれにおける第一の対辺構成面４６側の面が、第一の対辺構成面４６と面一とされた平坦な部分を備えている。これにより、一端側取付部５０と他端側取付部５２のそれぞれにおいて第一の対辺構成面４６側の面における平坦な部分と第一の対辺構成面４６とが同一平面上に位置せしめられて滑らかに接続されている。
【００４０】
また、本実施形態の一端側取付部５０は、その軸方向の中間部分から一端側へと行くに従って次第に幅寸法が大きくなる拡幅部分５４を備えている。特に、本実施形態では、かかる拡幅部分５４において幅方向（図６における上下方向）へ広がる割合が幅方向の一方（図６における上方）と他方（図６における下方）で異なっている。換言すると、本実施形態の拡幅部分５４は、導光ロッド４２の軸方向の一端側へ行くに従って導光ロッド４２の中心軸線に直交する方向の一方へ広がる割合と他方へ広がる割合が異なっているのである。更にまた、本実施形態では、拡幅部分５４の幅広側端面は、露出部４４の軸方向に対して傾斜している。
【００４１】
なお、このような導光ロッド４２は、射出成形等によって有利に成形される。
【００４２】
また、導光ロッド４２における第一の対辺構成面４６には、反射層としての反射テープ５６が貼付されている。この反射テープ５６は、白色顔料を含む塗料が塗布されたテープによって構成されている。そして、このような反射テープ５６は、白色顔料を含む塗料が塗布された面が第一の対辺構成面４６に貼り付けられるようになっており、特に本実施形態では、一端側取付部５０や他端側取付部５２のそれぞれにおいて第一の対辺構成面４６側に位置する面にも、反射テープ５６が貼り付けられるようになっている。なお、上述の説明から明らかなように、本実施形態では、反射テープ５６において導光ロッド４２に貼り付けられるほうの面が反射面とされているのである。
【００４３】
そして、上述の如く反射テープ５６が貼付された導光ロッド４２は、一端側取付部５０がハウジング５８に収容されるようになっている。このハウジング５８は、第一乃至第三のハウジング構成部材６０，６２，６４によって構成されている。
【００４４】
そこにおいて、第一のハウジング構成部材６０は、ＡＢＳ等の硬質の合成樹脂材料によって形成されており、全体として円板形状を呈している。また、第一のハウジング構成部材６０には、ステッピングモータによって構成された電動モータ（図示せず）の回転駆動力が伝達されることで回転駆動せしめられる駆動軸６６が突設されている。
【００４５】
そして、このような第一のハウジング構成部材６０に対して、導光ロッド４２における一端側取付部５０がねじ止め固定されるようになっている。具体的には、図９や図１０に示されているように、本実施形態の場合、第一のハウジング構成部材６０に形成された収容凹部６８に対して導光ロッド４２の一端側取付部５０を収容位置せしめた状態で、一端側取付部５０の幅方向一方の側に突設された突出片７０に形成されているねじ孔７２に挿通されるねじ７３によって、第一のハウジング構成部材６０にねじ止め固定されるようになっている。その際、一端側取付部５０の幅方向他方の側に突設された突出片７４に形成されている位置決め用孔７６には、第一のハウジング構成部材６０に突設された位置決め用突起７８が挿通されている。
【００４６】
また、上述の如き構造とされた第一のハウジング構成部材６０には、第二のハウジング構成部材６２が組み付けられるようになっている。この第二のハウジング構成部材６２は、第一のハウジング構成部材６０と同様に、ＡＢＳ等の硬質の合成樹脂材料によって形成されており、全体として弓の如き形状を呈している。このような第二のハウジング構成部材６２は、周方向両端のそれぞれに突出形成された組付用突起８０が第一のハウジング構成部材６０に形成された組付用穴８２に挿通されることにより、第一のハウジング構成部材６０に対して組み付けられるようになっている。
【００４７】
そこにおいて、本実施形態では、発光源としてのフルカラーＬＥＤ８４が実装されたＬＥＤ基板８６を第二のハウジング構成部材６２に形成された切欠８８内に収容位置せしめると共に、ＬＥＤ基板８６に形成された一対の係止片９０，９０のそれぞれを第二のハウジング構成部材６２に係止させた状態で、第二のハウジング構成部材６２を第一のハウジング構成部材６０に対して組み付けるようになっている（図９及び図１０参照）。そして、このようにして、第二のハウジング構成部材６２が第一のハウジング構成部材６０に組み付けられた状態下において、ＬＥＤ基板８６の幅方向両端は、それぞれ、第一のハウジング構成部材６０に形成された切欠９２の内周面に開口する溝９４内に位置せしめられるようになっている。
【００４８】
また、上述の如く、ＬＥＤ基板８６が第一のハウジング構成部材６０と第二のハウジング構成部材６２によって支持された状態下において、ＬＥＤ基板８６に実装されているフルカラーＬＥＤ８４は、図９に示されているように、導光ロッド４２の一端側取付部５０における拡幅部分５４の幅広側端面に形成された凹部９６内に位置せしめられるようになっている一方、ＬＥＤ基板８６においてフルカラーＬＥＤ８４が実装された面と反対側の面に実装されたコネクタ（図示せず）は、第一のハウジング構成部材６０に形成された切欠９２内に位置せしめられるようになっている。
【００４９】
更にまた、上述の如き第一のハウジング構成部材６０と第二のハウジング構成部材６２に組み付けられる第三のハウジング構成部材６４は、第一のハウジング構成部材６０や第二のハウジング構成部材６２と同様に、ＡＢＳ等の硬質の合成樹脂材料によって形成されており、全体として周壁部分と底壁部分を備えたカップ形状を呈している。このような第三のハウジング構成部材６４は、第二のハウジング構成部材６２が組み付けられた第一のハウジング構成部材６０に対して、底壁部分が対向位置せしめられるように被せられて組み付けられた状態でねじ止め固定されるようになっている。これにより、導光ロッド４２の一端側取付部５０とフルカラーＬＥＤ８４がハウジング５８に収容されるようになっている。そこにおいて、第三のハウジング構成部材６４には、周壁部分の適当な位置において切欠が設けられており、それによって、上述の如く第三のハウジング構成部材６４を第一のハウジング構成部材６０に対して被せるように組み付けた状態で、これらの切欠内に導光ロッド４２や第二のハウジング構成部材６２が位置せしめられるようになっている。その結果、フルカラーＬＥＤ８４の発する光が導光ロッド４２に対して入射する方向で外部へ漏れ難くなるように、導光ロッド４２の一端側取付部５０とフルカラーＬＥＤ８４がハウジング５８によって覆い隠されるようになっている。なお、ハウジング５８の内部空間は外部空間と遮断されていることが望ましいが、本実施形態のように、第一のハウジング構成部材６０に形成された切欠９２を通じて、第一のハウジング構成部材６０の裏面側、即ち、駆動軸６６が突設された面の側から外部空間と連通していても良い。要するに、フルカラーＬＥＤ８４の発する光が導光ロッド４２に対して入射する方向で外部へ漏れ難くされていれば、棒状発光装置４０のセンター飾り３２への取付状態で遊技者に視認され難い部分を通じて、ハウジング５８の内部空間が外部空間と連通していても良い。また、図面上では明示されていないが、上述の如く、第三のハウジング構成部材６４が第一のハウジング構成部材６０と第二のハウジング構成部材６２に組み付けられた状態で、ＬＥＤ基板８６に設けられた一対の係止片９０，９０は、それぞれ、第三のハウジング構成部材６４の内面に形成された溝内に位置せしめられている。
【００５０】
そこにおいて、本実施形態では、ハウジング５８を構成する部材のうち、第一のハウジング構成部材６０と第三のハウジング構成部材６４に対してメッキ処理が施されている。これにより、ハウジング５８の内面１００のうち少なくとも拡幅部分５４の幅広側端面に形成された凹部９６においてフルカラーＬＥＤ８４が発する光が入射する面よりも軸方向他端側の領域が鏡面とされている。即ち、本実施形態では、一端側取付部５０を取り囲む領域の略全体が鏡面とされているのであり、その結果、ハウジング５８の内面１００の殆どの部分が鏡面とされているのである。
【００５１】
また、本実施形態では、導光ロッド４２の軸方向他端側には、カバー部材１０２が設けられている。このカバー部材１０２は、第一のカバー構成部材１０４と第二のカバー構成部材１０６が導光ロッド４２における軸方向他端側に設けられた他端側取付部５２を内部に収容するようにして組み付けられた状態でねじ止め固定されることにより、導光ロッド４２の軸方向他端側に取り付けられるようになっている。これにより、後述の如く露出部４４内を進んできた光が導光ロッド４２における他端側取付部５２から外部へと漏れ難いように、導光ロッド４２の軸方向他端側がカバー部材１０２で覆い隠されているのである。その結果、本実施形態では、導光ロッド４２における露出部４４のみが遊技者に視認されるようになっている。なお、カバー部材１０２を構成する各部材１０４，１０６は、ＡＢＳ等の硬質の合成樹脂材料によって形成されている。
【００５２】
そこにおいて、本実施形態では、カバー部材１０２を構成する各部材１０４，１０６に対してメッキ処理が施されており、それによって、カバー部材１０２の内面１０８の全体が鏡面とされている。
【００５３】
このような構造とされた棒状発光装置４０は、例えば、電動モータの回転駆動力を駆動軸６６に伝達する減速手段としての減速歯車列（図示せず）が収容されるギアボックス（図示せず）を、センター飾り３２の適当な位置に対して、ねじ等の固定手段で固定することにより、センター飾り３２に取り付けられるようになっている。
【００５４】
そこにおいて、棒状発光装置４０がセンター飾り３２に取り付けられた状態で、導光ロッド４２における第一の対辺構成面４６は液晶表示器３４の表示画面側、即ち、遊技者側とは反対側に位置せしめられている一方、導光ロッド４２における第二の対辺構成面４８は遊技者側に位置せしめられている。即ち、本実施形態では、第一の対辺構成面４６によって裏側対辺構成面が構成されている一方、第二の対辺構成面４８によって表側対辺構成面が構成されているのである。
【００５５】
そして、本実施形態では、例えば、液晶表示器３４の表示画面において複数の特別図柄が所定の図柄組み合わせで停止表示される可能性がある場合や、特別遊技状態が発生している場合等において、電動モータの回転駆動力が減速歯車列を介して駆動軸６６に伝達されて、棒状発光装置４０が液晶表示器３４の表示画面の前方で一軸回りに揺動せしめられるようになっている。
【００５６】
このような構造とされた棒状発光装置４０においては、フルカラーＬＥＤ８４の発する光が導光ロッド４２に入射した後に導光ロッド４２内を軸方向の一端側から他端側へと進むようになっている。
【００５７】
そこにおいて、導光ロッド４２の露出部４４における第二の対辺構成面４８は、軸方向の一端側から他端側へと行くに従って第一の対辺構成面４６に接近する方向へ傾斜せしめられていることから、導光ロッド４２内に進入してきた光が第一の対辺構成面４６に貼付された反射テープ５６と第二の対辺構成面４８との間での反射を繰り返しながら露出部４４の軸方向の一端側から他端側へ導かれることを有利に実現することが可能となる。その結果、露出部４４内を進む際に反射テープ５６で反射される等して第二の対辺構成面４８を通過する光の量を露出部４４の軸方向の全体に亘って略均一にすることが可能となる。
【００５８】
また、導光ロッド４２の露出部４４における軸直角方向での断面が台形とされていることから、導光ロッド４２内に進入してきた光のうち光度の弱い光よりも光度の強い光を露出部４４内へ有利に導くことが可能となる。これにより、露出部４４内を進む際に第二の対辺構成面４８を通過する光の大部分を光度の強い光とすることが可能となる。その結果、遊技者に視認される光、即ち、第二の対辺構成面４８を通過する光を鮮明なものにすることが可能となる。
【００５９】
更にまた、導光ロッド４２における一端側取付部５０とフルカラーＬＥＤ８４がハウジング５８によって覆い隠されていることから、フルカラーＬＥＤ８４が発する光の導光ロッド４２への入射効率を高めることが可能となる。その結果、露出部４４内を進む際に反射テープ５６で反射される等して第二の対辺構成面４８を通過する光の量を確保することが可能となる。
【００６０】
特に、本実施形態では、ハウジング５８の内面１００のうち一端側取付部５０を取り囲む領域の略全体が鏡面とされていることから、フルカラーＬＥＤ８４が発する光の導光ロッド４２への入射効率を一層高めることが可能となる。その結果、露出部４４内を進む際に反射テープ５６で反射される等して第二の対辺構成面４８を通過する光の量を一層確保することが可能となる。
【００６１】
加えて、本実施形態では、フルカラーＬＥＤ８４が、ハウジング５８に収容された状態で、導光ロッド４２の拡幅部分５４における幅広側端面に形成された凹部９６内に位置せしめられていることから、フルカラーＬＥＤ８４が発する光を集光させて導光ロッド４２に入射させることが可能となる。その結果、露出部４４内を進む際に反射テープ５６で反射される等して第二の対辺構成面４８を通過する光の量をより一層確保することが可能となる。
【００６２】
また、本実施形態では、導光ロッド４２における他端側取付部５２を覆い隠すカバー部材１０２が取り付けられており、しかも、そのカバー部材１０２の内面１０８が鏡面とされていることから、露出部４４内を軸方向の一端側から他端側へと進む際に反射テープ５６で反射される等して第二の対辺構成面４８を通過せずに軸方向他端側まで到達した光をカバー部材１０２の内面１０８で反射させることにより、露出部４４内を軸方向の他端側から一端側へと進ませることが可能となる。そして、上述の如く反射された光が露出部４４内を軸方向の他端側から一端側へと進む際に反射テープ５６で反射される等して第二の対辺構成面４８を通過するようにすることが可能となる。その結果、露出部４４内を進む際に反射テープ５６で反射される等して第二の対辺構成面４８を通過する光の量をより一層確保することが可能となる。
【００６３】
以上、本発明の一実施形態について詳述してきたが、これはあくまでも例示であって、本発明は、かかる実施形態における具体的な記載によって、何等、限定的に解釈されるものではない。
【００６４】
例えば、前記実施形態において、棒状発光装置４０はセンター飾り３２に対して固定された状態で取り付けられていても良い。また、前記実施形態において、棒状発光装置４０は、ガラス枠等に取り付けられていても良い。
【００６５】
更にまた、前記実施形態では、遊技機用発光装置をパチンコ機に採用した場合の一具体例について詳述してきたが、本発明の遊技機用発光装置は、スロットマシン等に採用することも、勿論可能である。
【００６６】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６７】
【図１】本発明の棒状発光装置が取り付けられているパチンコ機の正面図。
【図２】同パチンコ機を構成する遊技盤の正面図。
【図３】本発明の棒状発光装置を示す平面図。
【図４】図３におけるＩＶ−ＩＶ断面図。
【図５】図３に示された棒状発光装置の組立分解図。
【図６】図３に示された棒状発光装置を構成する導光ロッドの平面図。
【図７】図６におけるＶＩＩ−ＶＩＩ断面図。
【図８】図６におけるＶＩＩＩ−ＶＩＩＩ断面図。
【図９】ＬＥＤ基板の支持状態を説明するための平面図。
【図１０】ＬＥＤ基板の支持状態を説明するための斜視図。
【符号の説明】
【００６８】
１０：パチンコ機，４０：棒状発光装置，４２：導光ロッド，４６：第一の対辺構成面，４８：第二の対辺構成面，５６：反射テープ，５８：ハウジング，８４：フルカラーＬＥＤ
【図１】
2007319204.tif 000003
【図２】
2007319204.tif 000004
【図３】
2007319204.tif 000005
【図４】
2007319204.tif 000006
【図５】
2007319204.tif 000007
【図６】
2007319204.tif 000008
【図７】
2007319204.tif 000009
【図８】
2007319204.tif 000010
【図９】
2007319204.tif 000011
【図１０】
2007319204.tif 000012